(57)【特許請求の範囲】
【請求項１】
建物の専有部分に設置されて熱交換換気を行う熱交換換気装置と、前記建物の共用部分に設置されて局所排気を行う局所排気装置とを有し、前記熱交換換気装置の排気が前記共用部分に排出される換気システムであって、
前記局所排気装置は、前記熱交換換気装置の換気風量を低下させる操作が行われ、前記熱交換換気装置の給気風量及び排気風量が減少したことを検出すると、前記局所排気の換気風量を低下させる制御部を備え、
前記熱交換換気装置及び前記局所排気装置は、給排気のバランスよりも換気を優先する設定を記憶する換気優先設定記憶部を有し、
前記換気優先設定記憶部に給排気のバランスよりも換気を優先する設定が記憶されている場合には、
前記局所排気装置の制御部は、前記熱交換換気装置の換気風量が低下したことを検出しても前記局所排気の換気風量を低下させず、
前記熱交換換気装置の制御部は、前記熱交換換気装置の給気風量を、換気風量を低下させる操作が行われる前の給気風量に戻すことを特徴とする換気システム。
【請求項２】
前記熱交換換気装置は、外気温度を検出する外気温度センサを備え、
前記熱交換換気装置の制御部は、前記外気温度が基準値以下の時に前記熱交換換気の換気風量を低下させる操作が行われた場合には、換気風量を低下させずに非熱交換換気を行うことを特徴とする請求項１に記載の換気システム。
【発明の詳細な説明】
【技術分野】
【０００１】
本発明は、建物の専有部分の熱交換換気と共用部分の換気とを行う換気システムに関する。
【背景技術】
【０００２】
入居者が占有する専有部分と不特定者によって共用される共用部分とを備える建物には、専有部分の熱交換換気を行う換気装置と共用部分の換気を行う換気装置とを備えた換気システムが用いられる。専有部分とは、事務室及び会議室といった設備の部分であり、共用部分とは、トイレ及び給湯室といった設備の部分である。【０００３】
特許文献１には、熱交換換気装置と局所排気装置とを備えた換気システムが開示されている。特許文献１に開示される換気システムは、共用部分の一部に相当するキッチンにおいてレンジフードファンが運転を開始し局所排気が変化した場合に、専有部分に相当する居室の熱交換換気による排気の風量を変化させる。
【先行技術文献】
【特許文献】
【０００４】
【特許文献１】特開２０１６−１７７０１号公報
【発明の概要】
【発明が解決しようとする課題】
【０００５】
専有部分の熱交換換気装置が共用部分の給気も兼ねる場合、専有部分の熱交換換気装置の少なくとも一部が運転を停止したり換気風量が低下したりすると、建物全体での給排気のバランスが崩れる。これによって、専有部分においても熱交換効率が低下したり、すきま風が発生したり、扉が開きにくくなったり、扉が勢いよく開いたりする可能性がある。したがって、建物全体の給排気のバランスを崩さないためには、在室人数が少ない場合又は在室者が存在しない場合であっても、換気システムは、全ての部屋で熱交換換気装置及び局所排気装置の定格運転を続ける必要があった。【０００６】
特許文献１に開示される発明は、レンジフードファンが運転を開始することによって共用部分に相当する部分での局所換気が変化した場合に給排気のバランスをとる制御について開示しているが、専有部分に相当する各部屋の換気風量が変化した場合に給排気のバランスをとる制御について開示していない。【０００７】
本発明は、上記に鑑みてなされたものであって、専有部分の熱交換換気を行う熱交換換気装置と共用部分の換気を行う局所排気装置とを備え、専有部分の熱交換換気装置の少なくとも一部が運転を停止したり換気風量が低下した場合に、建物全体での給排気のバランスが崩れることを抑えた換気システムを得ることを目的とする。
【課題を解決するための手段】
【０００８】
上述した課題を解決し、目的を達成するために、本発明は、建物の専有部分に設置されて熱交換換気を行う熱交換換気装置と、建物の共用部分に設置されて局所排気を行う局所排気装置とを有し、熱交換換気装置の排気が共用部分に排出される換気システムである。本発明において、局所排気装置は、熱交換換気装置による熱交換換気の換気風量が低下し、給気風量及び排気風量が減少したことを検出すると、局所排気の換気風量を低下させる制御部を備える。
【発明の効果】
【０００９】
本発明に係る換気システムは、専有部分の熱交換換気を行う熱交換換気装置と共用部分の換気を行う局所排気装置とを備え、専有部分の熱交換換気装置の少なくとも一部が運転を停止したり換気風量が低下した場合に、建物全体での給排気のバランスが崩れることを抑えることができるという効果を奏する。
【図面の簡単な説明】
【００１０】
【図１】本発明の実施の形態１に係る換気システムの構成を示す図
【図２】実施の形態１に係る換気システムのブロック図
【図３】実施の形態１に係る換気システムに適用される熱交換換気装置の斜視図
【図４】実施の形態１に係る換気システムにおいて一部の熱交換換気装置を停止させた状態を示す図
【図５】実施の形態１に係る換気システムの動作の流れを示すフローチャート
【図６】本発明の実施の形態２に係る換気システムのブロック図
【図７】実施の形態２に係る換気システムの動作の流れを示すフローチャート
【図８】本発明の実施の形態３に係る換気システムのブロック図
【図９】実施の形態３に係る換気システムにおける運転状態の遷移を示す図
【図１０】実施の形態３に係る換気システムにおける運転状態の遷移を示す図
【図１１】実施の形態３に係る換気システムにおける運転状態の遷移を示す図
【図１２】実施の形態１から実施の形態３のいずれかに係る制御部の機能をハードウェアで実現した構成を示す図
【図１３】実施の形態１から実施の形態３のいずれかに係る制御部の機能をソフトウェアで実現した構成を示す図
【発明を実施するための形態】
【００１１】
以下に、本発明の実施の形態に係る換気システムを図面に基づいて詳細に説明する。なお、この実施の形態によりこの発明が限定されるものではない。
【００１２】
実施の形態１．
図１は、本発明の実施の形態１に係る換気システムの構成を示す図である。図２は、実施の形態１に係る換気システムのブロック図である。換気システム１００は、第１事務室１０に設置された熱交換換気装置１１、第２事務室２０に設置された熱交換換気装置２１，２２、会議室３０に設置された熱交換換気装置３１、給湯室４０に設置された局所排気装置４１及びトイレ５０に設置された局所排気装置５１，５２を有する。ここで、第１事務室１０、第２事務室２０及び会議室３０は専有部分であり、給湯室４０及びトイレ５０は共用部分である。
【００１３】
熱交換換気装置１１，２１の排気は、共用部分に排出される。なお、熱交換換気装置１１，２１，２２の排気とは、第１事務室１０又は第２事務室２０から吸い出され、外気空気との間で熱交換がなされた後の空気である。
【００１４】
熱交換換気装置１１，２１，２２，３１及び局所排気装置４１，５１，５２は、通信ケーブル６０で接続されている。熱交換換気装置１１，２１，２２，３１及び局所排気装置４１，５１，５２は、通信ケーブル６０を通じて他の機器に運転状態情報を送信する。運転状態情報とは、装置が運転しているか否かを示す情報及び運転強度の情報を含む。熱交換換気装置１１，２１，２２，３１及び局所排気装置４１，５１，５２の運転状態の監視及び操作は、監視用操作盤７０を通じて行うことが可能である。
【００１５】
図１中に矢印とともに示す数値は、給気量及び排気量を示している。図１に示すように、建物全体では、給気量及び排気量はともに１９５０ｍ３／ｈであるため、給排気のバランスはとれている。
【００１６】
図３は、実施の形態１に係る換気システムに適用される熱交換換気装置の斜視図である。なお、図３では、熱交換換気装置１１の筐体の一部を切り欠いて内部を可視化して示している。熱交換換気装置１１は、対向する側面の一方に室内側の吸込口１０４と吹出口１０６とを有し、他方に室外側の吸込口１０５と吹出口１０７とを有する箱体１０１内に、吸込口１０４，１０５と吹出口１０７，１０６との間に設けた熱交換器１１２において互いに交差し熱交換するよう設けられた給気風路１０９及び排気風路１０８とを備えている。
【００１７】
排気風路１０８には、排気流を形成する排気用送風機１１０が設置される。給気風路１０９には、給気流を形成する給気用送風機１１１が設置される。排気用送風機１１０及び給気用送風機１１１は、羽根１２１及び電動機１２６を備える。羽根１２１及び電動機１２６は、羽根ケーシング１１６に収容されている。箱体１０１には、給気流と排気流との間で熱交換を行う熱交換器１１２が設置されている。熱交換器１１２は、箱体１０１に形成されている開口１１５から挿抜可能となっている。
【００１８】
熱交換換気装置１１において、熱交換器１１２を利用した空調換気については、排気用送風機１１０及び給気用送風機１１１を運転することにより、室内空気は、ダクトを介して吸込口１０４から矢印Ａのように吸い込まれ、熱交換器１１２及び排気風路１０８を矢印Ｂのように通り、排気用送風機１１０により吹出口１０７から矢印Ｃのように吹き出される。
【００１９】
また、ダクトを介して吸込口１０５から矢印Ｄのように吸い込まれ、熱交換器１１２及び給気風路１０９を矢印Ｅのように通り、給気用送風機１１１により吹出口１０６から矢印Ｆのように吹き出され、ダクトを介して室内に給気される。このとき、熱交換器１１２では排気流と給気流との間で熱交換が行われ、排気熱を回収して冷暖房負荷を軽減する。なお、排気用送風機１１０及び給気用送風機１１１の運転は、制御部１１７により制御される。
【００２０】
なお、熱交換換気装置２１，２２，３１も熱交換換気装置１１と同様の構成を有する。また、給気用送風機２１１，２２１，３１１は、給気用送風機１１１と同様であり、排気用送風機２１０，２２０，３１０は、排気用送風機１１０と同様である。また、熱交換器２１２，２２２，３１２は、熱交換器１１２と同様である。また、制御部２１７，２２７，３１７は、制御部１１７と同様である。
【００２１】
局所排気装置４１は、設置箇所の空気を取り込んで排気流を形成する排気用送風機４１１と、排気用送風機４１１の運転強度を変更することによって換気風量を変化させる制御部４１２とを備える。局所排気装置４１は、共用部分に設置されており、設置箇所の局所排気を行う。なお、局所排気装置５１，５２も局所排気装置４１と同様の構成を有し、共用部分に設置される。また、排気用送風機５１１，５２１は排気用送風機４１１と同様であり、制御部５１２，５２２は、制御部４１２と同様である。
【００２２】
図４は、実施の形態１に係る換気システムにおいて一部の熱交換換気装置を停止させた状態を示す図である。在室人数が減るなどの理由で第１事務室１０の熱交換換気装置１１を停止させると、建物全体では、給気量は９５０ｍ３／ｈとなり、排気量は１９５０ｍ３／ｈとなり、給排気のバランスが崩れる。実施の形態１に係る換気システム１００は、熱交換換気装置１１を停止させるなどして換気風量が低下し、給気風量及び排気風量が減少する場合、給湯室４０又はトイレ５０に設置された局所排気装置４１，５１，５２の排気量を減らすことで、建物全体での給排気のバランスを整える。建物全体での給排気のバランスを整えることにより、第２事務室２０に設置された熱交換換気装置２１，２２及び会議室３０に設置された熱交換換気装置３１は、給排気のバランスを崩すことなく運用が可能となる。
【００２３】
なお、局所排気装置４１，５１，５２が停止した場合、連動して熱交換換気装置１１，２１，２２，３１の換気風量を低下させてしまうと、専有部分で必要換気風量が確保できないおそれがあるため、局所排気装置４１，５１，５２が停止しても、専有部分の換気風量は低下させない。
【００２４】
図５は、実施の形態１に係る換気システムの動作の流れを示すフローチャートである。制御部１１７，２１７，２２７，３１７，４１２，５１２，５２２の動作の流れは全て同じであるため、ここでは制御部４１２を例にして説明する。換気システム１００の運転開始後、ステップＳ１において、制御部４１２は、他の機器の制御部１１７，２１７，２２７，３１７，５１２，５２２から運転状態情報を受信したか否かを監視する。運転状態情報を受信していなければ、ステップＳ１でＮｏとなり、運転状態情報を受信したか否かの監視を継続する。運転状態情報を受信したならば、ステップＳ１でＹｅｓとなり、ステップＳ２において制御部４１２は、専有部分の換気風量が低下するか否かを受信した運転状態情報を基に判断する。
【００２５】
専有部分の換気風量が低下する場合は、ステップＳ２でＹｅｓとなり、ステップＳ３において制御部４１２は、局所排気装置の制御部であるか否かを判断する。制御部４１２は、局所排気装置の制御部であるため、ステップＳ３でＹｅｓとなり、ステップＳ４において、排気用送風機４１１の運転強度を弱くするか又は停止させ、共用部分の換気風量を低減させる。なお、制御部１１７，２１７，２２７，３１７の場合は、熱交換換気装置の制御部であるため、ステップＳ３でＮｏとなり、ステップＳ１に戻って、他の機器から運転状態情報を受信したか否かの監視を行う。
【００２６】
専有部分の換気風量が低下しない場合は、ステップＳ２でＮｏとなり、ステップＳ１に戻り、制御部４１２は、他の機器の制御部１１７，２１７，２２７，３１７，５１２，５２２から運転状態情報を受信したか否かの監視を行う。
【００２７】
実施の形態１に係る換気システム１００は、専有部分の熱交換換気装置１１，２１，２２，３１の少なくとも一部が運転を停止したり換気風量が低下した場合に、共用部分の局所排気装置４１，５１，５２の排気風量を低下させる。したがって、実施の形態１に係る換気システム１００は、専有部分の換気風量が低下する場合に、建物全体での給排気のバランスを整えることができる。
【００２８】
実施の形態２．
図６は、本発明の実施の形態２に係る換気システムのブロック図である。実施の形態２に係る換気システム１００は、給排気のバランスよりも換気を優先する設定を記憶する換気優先設定記憶部１１８，２１８，２２８，３１８，４１３，５１３，５２３を有する点で、実施の形態１に係る換気システム１００と相違している。この相違点以外は、実施の形態１に係る換気システム１００と同様であるため、重複する説明は省略する。
【００２９】
図７は、実施の形態２に係る換気システムの動作の流れを示すフローチャートである。実施の形態１と同様に、制御部１１７，２１７，２２７，３１７，４１２，５１２，５２２の動作の流れは全て同じであるため、ここでは制御部１１７を例にして説明する。ステップＳ１及びステップＳ２は、実施の形態１と同様である。専有部分の換気風量が低下する場合は、ステップＳ２でＹｅｓとなり、ステップＳ１３において制御部１１７は、給排気のバランスよりも換気を優先する設定が換気優先設定記憶部１１８に記憶されているか否かを確認する。給排気のバランスよりも換気を優先する設定が換気優先設定記憶部１１８に記憶されていれば、ステップＳ１３でＹｅｓとなり、ステップＳ１４において、制御部１１７は、熱交換換気装置の制御部であるか否かを判断する。制御部１１７は、熱交換換気装置の制御部であるため、ステップＳ１４でＹｅｓとなり、ステップＳ１５において、制御部１１７は、給気用送風機１１１のみを動かし、専有部分の給気風量を維持する。なお、制御部４１２，５１２，５２２の場合は、局所排気装置の制御部であるため、ステップＳ１４でＮｏとなり、ステップＳ１に戻る。給排気のバランスよりも換気を優先する設定が換気優先設定記憶部１１８に記憶されていなければ、ステップＳ１３でＮｏとなり、ステップＳ３に進む。ステップＳ３及びステップＳ４は、実施の形態１と同様である。
【００３０】
実施の形態２に係る換気システム１００は、換気優先設定記憶部１１８，２１８，２２８，３１８，４１３，５１３，５２３に給排気のバランスよりも換気を優先する設定が記憶されていれば、熱交換換気装置１１，２１，２２，３１の給気用送風機１１１，２１１，２２１，３１１を動かして給気風量を維持するため、専有部分の換気を確実に行うことができる。
【００３１】
実施の形態３．
図８は、本発明の実施の形態３に係る換気システム１００のブロック図である。実施の形態３に係る換気システム１００は、熱交換換気装置１１，２１，２２，３１が外気温度センサ１１９，２１９，２２９，３１９を備えている点で、実施の形態２に係る換気システム１００と相違する。
【００３２】
実施の形態３に係る換気システム１００は、熱交換換気装置１１，２１，２２，３１の制御部１１７，２１７，２２７，３１７は、外気温度が基準値以下の時に熱交換換気の換気風量を低下させる操作が行われた場合には、換気風量を低下させずに非熱交換換気を行い、外気冷房を実行する。
【００３３】
図９、図１０及び図１１は、実施の形態３に係る換気システムにおける運転状態の遷移を示す図である。熱交換換気装置１１，２１，２２，３１が給気風量及び排気風量が大の運転を行い、局所排気装置４１，５１，５２が風量大の運転を行っているとき、建物全体の給排気のバランスが取れている。この状態のときに熱交換換気装置１１の換気風量を低下させる操作が行われると、図９中に矢印Ｇで示すように、熱交換換気装置１１の給気風量及び排気風量が低下し、建物全体での給排気のバランスが取れていない状態に移行する。このとき、給排気のバランスよりも換気を優先する設定が換気優先設定記憶部１１８，２１８，２２８，３１８，４１３，５１３，５２３に記憶されていれば、図９中に矢印Ｈで示すように、熱交換換気装置１１の給気風量は、換気風量を低下させる前の熱交換換気での給気風量に戻され、局所排気装置４１，５１，５２の風量は大のまま維持される。一方、給排気のバランスよりも換気を優先する設定が換気優先設定記憶部１１８，２１８，２２８，３１８，４１３，５１３，５２３に記憶されていない場合には、図９中に矢印Ｉで示すように、局所排気装置４１は風量を小とし、局所排気の換気風量を低下させた状態に移行する。局所排気装置４１の局所排気の換気風量が低下することにより、建物全体の給排気のバランスが取れた状態となる。
【００３４】
また、局所排気装置４１の換気風量が低下している状態において、熱交換換気装置１１の換気風量を低下させる操作が行われると、建物全体の給排気のバランスは大きく崩れることはないので、熱交換換気装置１１以外の機器は換気風量を変化させず、図１０中に矢印Ｊで示すように、熱交換換気装置１１の換気風量のみが低下した状態に移行する。
【００３５】
局所排気装置４１の換気風量が低下している状態において、図１０中に矢印Ｋで示すように熱交換換気装置１１，２１，２２の換気風量を低下させる操作が行われると、建物全体の給排気のバランスが大きく崩れることに加え、在室者がおらず換気風量を大きくする必要がないと推定できるため、図１０中に矢印Ｌで示すように、共用部分に設置されている局所排気装置４１，４２，５２の換気風量を低下させた状態に移行する。
【００３６】
また、図１１に矢印Ｍで示すように、熱交換換気装置１１の換気風量を低下させる操作が行われた場合でも、外気温度が基準値以下であって外気冷房の効果が見込めるならば、図１１中に矢印Ｎで示すように、熱交換換気装置１１，２１，２２，３１は、換気風量を低下させずに非熱交換換気を行う状態に移行し、外気冷房を実行する。
【００３７】
実施の形態３に係る換気システム１００は、外気温度が基準値以下の場合には、熱交換換気装置１１，２１，２２，３１の換気風量は低下させずに非熱交換換気を行うことで、外気冷房により専有部分の室温を下げることができる。したがって、実施の形態３に係る換気システム１００は、外気温が低い場合には、冷熱源を用いることなく室内の温度を下げ、省エネルギー化を図ることができる。
【００３８】
なお、上記実施の形態１、実施の形態２及び実施の形態３において、共用部分には局所排気装置４１，５１，５２が設置されているが、共用部分にも熱交換機能を備えた熱交換換気装置を設置してもよい。すなわち、共用部分には、少なくとも排気機能を備えた装置を設置すればよい。
【００３９】
上記実施の形態１から３において、専有部分には熱交換機能を備えた熱交換換気装置１１，２１，２２，３１を設置しているが、専有部分からの排気と専有部分への給気との熱交換機能を１台の装置に集約してもよい。すなわち、熱交換機能を備えた外気処理エアコンディショナの吹出口を第１事務室１０、第２事務室２０及び会議室３０に設置してもよい。
【００４０】
上記実施の形態１、実施の形態２及び実施の形態３の制御部１１７，２１７，２２７，３１７，４１２，５１２，５２２の機能は、処理回路により実現される。すなわち制御部１１７，２１７，２２７，３１７は、換気優先設定記憶部１１８，２１８，２２８，３１８に給排気のバランスよりも換気を優先する設定が記憶されている場合には、給気風量を、換気風量を低下させる前の熱交換換気での給気風量に戻す処理と、外気温度が基準値以下の時に熱交換換気の換気風量を低下させる操作が行われた場合には、換気風量を低下させずに非熱交換換気を行う処理とを行う処理回路を備える。制御部４１２，５１２，５２２は、熱交換換気装置１１，２１，２２，３１による熱交換換気の換気風量が低下したことを検出すると、局所排気の換気風量を低下させる処理と、換気優先設定記憶部４１３，５１３，５２３に給排気のバランスよりも換気を優先する設定が記憶されている場合には、熱交換換気装置１１，２１，２２，３１による熱交換換気の換気風量が低下したことを検出しても局所排気の換気風量を低下させない処理とを行う処理回路を備える。また、処理回路は、専用のハードウェアであっても、記憶装置に格納されるプログラムを実行する演算装置であってもよい。
【００４１】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図１２は、実施の形態１から実施の形態３のいずれかに係る制御部の機能をハードウェアで実現した構成を示す図である。処理回路１９には、換気優先設定記憶部１１８，２１８，２２８，３１８に給排気のバランスよりも換気を優先する設定が記憶されている場合には、給気風量を、換気風量を低下させる前の熱交換換気での給気風量に戻す処理と、外気温度が基準値以下の時に熱交換換気の換気風量を低下させる操作が行われた場合には、換気風量を低下させずに非熱交換換気を行う処理とを実現する論理回路１９ａが組み込まれている。または、処理回路１９には、熱交換換気装置１１，２１，２２，３１による熱交換換気の換気風量が低下したことを検出すると、局所排気の換気風量を低下させる処理と、換気優先設定記憶部４１３，５１３，５２３に給排気のバランスよりも換気を優先する設定が記憶されている場合には、熱交換換気装置１１，２１，２２，３１による熱交換換気の換気風量が低下したことを検出しても局所排気の換気風量を低下させない処理とを実現する論理回路１９ａが組み込まれている。
【００４２】
処理回路１９が演算装置の場合、換気優先設定記憶部１１８，２１８，２２８，３１８に給排気のバランスよりも換気を優先する設定が記憶されている場合には、給気風量を、換気風量を低下させる前の熱交換換気での給気風量に戻す処理と、外気温度が基準値以下の時に熱交換換気の換気風量を低下させる操作が行われた場合には、換気風量を低下させずに非熱交換換気を行う処理は、ソフトウェア、ファームウェア、又はソフトウェアとファームウェアとの組み合わせにより実現される。また、処理回路１９が演算装置の場合、熱交換換気装置１１，２１，２２，３１による熱交換換気の換気風量が低下したことを検出すると、局所排気の換気風量を低下させる処理と、換気優先設定記憶部４１３，５１３，５２３に給排気のバランスよりも換気を優先する設定が記憶されている場合には、熱交換換気装置１１，２１，２２，３１による熱交換換気の換気風量が低下したことを検出しても局所排気の換気風量を低下させない処理とは、ソフトウェア、ファームウェア、又はソフトウェアとファームウェアとの組み合わせにより実現される。
【００４３】
図１３は、実施の形態１から実施の形態３のいずれかに係る制御部の機能をソフトウェアで実現した構成を示す図である。処理回路１９は、プログラム１９ｂを実行する演算装置１９１と、演算装置１９１がワークエリアに用いるランダムアクセスメモリ１９２と、プログラム１９ｂを記憶する記憶装置１９３を有する。記憶装置１９３に記憶されているプログラム１９ｂを演算装置１９１がランダムアクセスメモリ１９２上に展開し、実行することにより、換気優先設定記憶部１１８，２１８，２２８，３１８に給排気のバランスよりも換気を優先する設定が記憶されている場合には、給気風量を、換気風量を低下させる前の熱交換換気での給気風量に戻す処理と、外気温度が基準値以下の時に熱交換換気の換気風量を低下させる操作が行われた場合には、換気風量を低下させずに非熱交換換気を行う処理とが実現される。または、記憶装置１９３に記憶されているプログラム１９ｂを演算装置１９１がランダムアクセスメモリ１９２上に展開し、実行することにより、熱交換換気装置１１，２１，２２，３１による熱交換換気の換気風量が低下したことを検出すると、局所排気の換気風量を低下させる処理と、換気優先設定記憶部４１３，５１３，５２３に給排気のバランスよりも換気を優先する設定が記憶されている場合には、熱交換換気装置１１，２１，２２，３１による熱交換換気の換気風量が低下したことを検出しても局所排気の換気風量を低下させない処理とが実現される。ソフトウェア又はファームウェアはプログラム言語で記述され、記憶装置１９３に格納される。演算装置１９１は、中央処理装置を例示できるがこれに限定はされない。
【００４４】
処理回路１９は、記憶装置１９３に記憶されたプログラム１９ｂを読み出して実行することにより、各処理を実現する。すなわち、制御部１１７，２１７，２２７，３１７は、処理回路１９により実行されるときに、換気優先設定記憶部１１８，２１８，２２８，３１８に給排気のバランスよりも換気を優先する設定が記憶されている場合には、給気風量を、換気風量を低下させる前の熱交換換気での給気風量に戻すステップと、外気温度が基準値以下の時に熱交換換気の換気風量を低下させる操作が行われた場合には、換気風量を低下させずに非熱交換換気を行うステップとが結果的に実行されることになるプログラム１９ｂを記憶するための記憶装置１９３を備える。また、制御部４１２，５１２，５２２は、処理回路１９により実行されるときに、熱交換換気装置１１，２１，２２，３１による熱交換換気の換気風量が低下したことを検出すると、局所排気の換気風量を低下させるステップと、換気優先設定記憶部４１３，５１３，５２３に給排気のバランスよりも換気を優先する設定が記憶されている場合には、熱交換換気装置１１，２１，２２，３１による熱交換換気の換気風量が低下したことを検出しても局所排気の換気風量を低下させないステップとが結果的に実行されることになるプログラム１９ｂを記憶するための記憶装置１９３を備える。また、プログラム１９ｂは、上記の手順及び方法をコンピュータに実行させるものであるとも言える。
【００４５】
なお、換気優先設定記憶部１１８，２１８，２２８，３１８に給排気のバランスよりも換気を優先する設定が記憶されている場合には、給気風量を、換気風量を低下させる前の熱交換換気での給気風量に戻す処理と、外気温度が基準値以下の時に熱交換換気の換気風量を低下させる操作が行われた場合には、換気風量を低下させずに非熱交換換気を行う処理と、熱交換換気装置１１，２１，２２，３１による熱交換換気の換気風量が低下したことを検出すると、局所排気の換気風量を低下させる処理と、換気優先設定記憶部４１３，５１３，５２３に給排気のバランスよりも換気を優先する設定が記憶されている場合には、熱交換換気装置１１，２１，２２，３１による熱交換換気の換気風量が低下したことを検出しても局所排気の換気風量を低下させない処理とについて、一部を専用のハードウェアで実現し、一部をソフトウェア又はファームウェアで実現するようにしてもよい。
【００４６】
このように、処理回路１９は、ハードウェア、ソフトウェア、ファームウェア、又はこれらの組み合わせによって、上述の各機能を実現することができる。
【００４７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４８】
１０  第１事務室、１１，２１，２２，３１  熱交換換気装置、１９  処理回路、１９ａ  論理回路、１９ｂ  プログラム、２０  第２事務室、３０  会議室、４０  給湯室、４１，４２，５１，５２  局所排気装置、５０  トイレ、６０  通信ケーブル、７０  監視用操作盤、１００  換気システム、１０１  箱体、１０４，１０５  吸込口、１０６，１０７  吹出口、１０８  排気風路、１０９  給気風路、１１０，２１０，２２０，３１０，４１１，５１１，５２１  排気用送風機、１１１，２１１，２２１，３１１  給気用送風機、１１２，２１２，２２２，３１２  熱交換器、１１５  開口、１１６  羽根ケーシング、１１７，２１７，２２７，３１７，４１２，５１２，５２２  制御部、１１８，２１８，２２８，３１８，４１３，５１３，５２３  換気優先設定記憶部、１１９，２１９，２２９，３１９  外気温度センサ、１２１  羽根、１２６  電動機、１９１  演算装置、１９２  ランダムアクセスメモリ、１９３  記憶装置。
【図１】
0006800338.tif 000002
【図２】
0006800338.tif 000003
【図３】
0006800338.tif 000004
【図４】
0006800338.tif 000005
【図５】
0006800338.tif 000006
【図６】
0006800338.tif 000007
【図７】
0006800338.tif 000008
【図８】
0006800338.tif 000009
【図９】
0006800338.tif 000010
【図１０】
0006800338.tif 000011
【図１１】
0006800338.tif 000012
【図１２】
0006800338.tif 000013
【図１３】
0006800338.tif 000014